(57)【特許請求の範囲】
【請求項１】
外箱とこの外箱の食器挿入用の開口に設けられて開閉される開閉扉とを備える食器洗浄機において、
前記外箱の内側にレールを形成し、
このレールと外箱とで囲まれる空間内に位置して当該レール上を転動可能なローラを備え、このローラは袋状穴を有し、この袋状穴に前記開閉扉から延びる支持軸を回転自在に嵌合し、この支持軸の端面、或いは前記ローラの袋状穴の穴底であって前記端面が対向する部分に凸部を形成し、この凸部と前記穴底或いは前記端面とを当接可能に構成したことを特徴とする食器洗浄機。
【請求項２】
前記ローラは前記外箱の内面に接する側の外表面に凸部を備え、この凸部を前記外箱の内面と当接可能にしたことを特徴とする請求項１に記載の食器洗浄機。
【発明の詳細な説明】
【０００１】
【発明の属する技術分野】
本発明は、開閉扉を備えた食器洗浄機に関する。
【０００２】
【従来の技術】
一般的に、外箱とこの外箱の食器挿入用の開口に設けられて開閉される開閉扉とを備える食器洗浄機が知られている。
【０００３】
この種のものでは、外箱の内側にレールを形成し、このレールと外箱とで囲まれる空間内に位置して当該レール上を転動可能なローラを備え、このローラは袋状穴を有し、この袋状穴に開閉扉から一体的に延びる支持軸を回転自在に嵌合したものが提案されている。
【０００４】
【発明が解決しようとする課題】
従来構造では、ローラの外表面が平坦であると共に、ローラの袋状穴に臨む支持軸の端面が平坦であるので、ローラの外表面と外箱の内面間の接触面積、或いはローラの袋状穴と支持軸の端面との接触面積が大きく、その摩擦力によってローラが正常に転動しない場合があった。
【０００５】
そこで、本発明の目的は、上述した従来の技術が有する課題を解消し、いかなる場合にも、ローラを正常に転動させることができる開閉扉の開閉構造を有した、食器洗浄機を提供することにある。
【０００６】
【課題を解決するための手段】
請求項１記載の発明は、外箱とこの外箱の食器挿入用の開口に設けられて開閉される開閉扉とを備える食器洗浄機において、前記外箱の内側にレールを形成し、このレールと外箱とで囲まれる空間内に位置して当該レール上を転動可能なローラを備え、このローラは袋状穴を有し、この袋状穴に前記開閉扉から延びる支持軸を回転自在に嵌合し、この支持軸の端面、或いは前記ローラの袋状穴の穴底であって前記端面が対向する部分に凸部を形成し、この凸部と前記穴底或いは前記端面とを当接可能に構成したものである。
【０００７】
請求項２記載の発明は、請求項１に記載の発明において、前記ローラは前記外箱の内面に接する側の外表面に凸部を備え、この凸部を前記外箱の内面と当接可能にしたものである。
【０００８】
【発明の実施の形態】
以下、本発明の一実施形態を図面に基づいて説明する。
【０００９】
図１及び図２において、１は食器洗浄機を示している。この食器洗浄機１は外箱３を有しており、この外箱３は略円弧形状に形成された天板５と、外箱３の食器挿入用の開口１２に設けられた開閉扉７と機械室１０とを含んで構成されている。９は開閉扉の取手である。
【００１０】
外箱３の下部の機械室１０には、図示を省略したが、洗浄ポンプのモータ、洗浄タンク等から構成される洗浄装置、及びすすぎ水用のブースタータンク等から構成されるすすぎ装置等が格納されている。
【００１１】
図３は、外箱３の上部の断面図である。外箱３には洗浄室１１が設けられ、この洗浄室１１には、当該洗浄室１１の壁面に沿って上方に延びるパイプ１５が立設されている。このパイプ１５の上下端部は曲げられ、この上下端部は洗浄室１１の中央に延出し、この中央で上下に対向している。このパイプ１５の下向きの上端部には、上方洗浄ノズル１７と、上方すすぎノズル１９とが回転自在に連結され、パイプ１５の上向きの下端部には、図示を省略した下方洗浄ノズルと、下方すすぎノズルとが回転自在に連結されている。
【００１２】
上方洗浄ノズル１７、及び下方洗浄ノズルには、機械室１０内の洗浄装置からパイプ１５の内部を通って洗浄水が供給され、ここから洗浄室１１内に洗浄水が噴射される。また、上方すすぎノズル１９、及び下方すすぎノズルには、機械室１０内のすすぎ水装置から、図示を省略した配管を通してすすぎ水が供給され、ここから洗浄室１１内に噴射される。
【００１３】
前記した開閉扉７は、図３に示すように、外箱３の両側２個の開口１２に、それぞれ上下動自在に設けられ、それぞれの開閉扉７が取手９を掴んで上下移動（矢印Ａ方向への移動）により開閉される。
【００１４】
それぞれの開閉扉７の下端には、ホルダ３５が固定され、このホルダ３５とパイプ１５の上部に固定された部材３４との間には、コイルスプリング３３が張設されている。また、一方の開閉扉７Ａの上端両側には左右一対の衝撃吸収部材３７が設けられ、他方の開閉扉７Ｂが全開にされた場合には、図示のように、コイルスプリング３３が収縮すると共に、一方の開閉扉７Ａの衝撃吸収部材３７に当接して当該開閉扉７Ｂの開放が停止される。
【００１５】
なお、当該開閉扉７Ｂを閉じた状態で、一方の開閉扉７Ａを開く場合、この開閉扉７Ａに設けた衝撃吸収部材３７が、他方の開閉扉７Ｂに衝突してストッパ機能を果たすことはいうまでもない。
【００１６】
この実施形態では、まず、衝撃吸収部材３７は他方の開閉扉７Ｂに設ける必要がなく、一方の開閉扉７Ａにのみ設ければよいので、衝撃吸収部材３７の兼用化が図られ、製造コストが低減される。また、図示のように、他方の開閉扉７Ｂを開いた場合、天板５の上方で、この他方の開閉扉７Ｂと一方の開閉扉７Ａとが、衝撃吸収部材３７を介して衝突するが、この衝突する部分を除いて、他方の開閉扉７Ｂと一方の開閉扉７Ａとの間には所定の間隔があくので、作業者が誤って手を挟む等の事故が防止される。
【００１７】
一方、外箱３の開口１２の両側縁部には、図３，及び図４に示すように、天板５の略円弧形状に対応して形成された一対のレール１３が設けられている。図５に示すように、このレール１３と外箱３とで囲まれる空間２０内にはローラ２１が位置し、このローラ２１は袋状穴２１ａを有し、この袋状穴２１ａには、開閉扉７の側縁部７ａに固定された支持軸２３が回転自在に嵌合される。このローラ２１は、図６に示すように、開閉扉７の側縁部７ａに形成された切り欠き７ｂに臨んで、前記レール１３上を転動可能に構成される。
【００１８】
支持軸２３はブラケット２５に固定され、このブラケット２５は、図６、及び図７に示すように、切り欠き７ｂを跨いで開閉扉７の側縁部７ａに２個のねじ２７によって固定されている。このローラ２１は開閉扉７の両側縁にそれぞれ２個ずつ設けられている。
【００１９】
外箱３の円弧形状に沿って設けられたレール１３上を開閉扉７がローラ２１を介して動き、パイプ１５の上部と開閉扉７の下部とに張られたコイルスプリング３３の弾性力によって開閉扉７が上方に引っ張られる（図３）ので、従来の軸を中心に回転する構造をしたフードタイプやドアタイプの扉に比べ、扉の重量を気にせずに開閉扉７を開くことができる。
【００２０】
また、従来の扉開時に開閉扉を上方に持ち上げるドアタイプの食器洗浄機に比べて、開閉扉７が外箱３の天板５上をスライドするので、扉開時に食器洗浄機の上方に扉分の余分なスペースをとらなくてすむ。
【００２１】
本実施形態による食器洗浄機１は以上のような構成を有するので、この食器洗浄機１の運転は、以下のようになる。
【００２２】
図３に示すように、開閉扉７の取手９を把持して開閉扉７を上方にスライドさせて、図示を省略した食器ラックをラックレールに沿って洗浄室１１に挿入する。ついで、開閉扉７を下方にスライドさせる。
【００２３】
洗浄装置等を駆動すると、洗浄水がパイプ１５の内部を通って上方洗浄ノズル１７と下方洗浄ノズル（図示せず）とから洗浄室１１内に噴出される。上方洗浄ノズル１７と下方洗浄ノズルとはパイプ１５を軸にして回動自在に取り付けられており、洗浄水の噴出圧力を利用して回動する。
【００２４】
洗浄水は、通常、液体の洗浄剤とブースタータンクで温められた水道水の混合物である。洗浄が終わると次に、ブースタータンクで温められたすすぎ水がパイプ１５の内部を通って上方すすぎノズル２９と下方すすぎノズル（図示せず）とから洗浄室１１内に噴出される。上方すすぎノズル１９と下方すすぎノズルとはパイプ１５を軸にして回動自在に取り付けられており、すすぎ水の噴出圧力を利用して回動する。
【００２５】
この実施形態では、図５に示すように、支持軸２３の端面２３ａが対向するローラ２１の袋状穴２１ａの穴底に凸部３１が一体に形成されている。また、外箱３の内面３ａに接する側のローラ２１の外表面に凸部３３が一体に形成されている。なお、凸部３１は、袋状穴２１ａの穴底に限定せず、支持軸２３の端面２３ａに形成してもよい。また、凸部３３は、ローラ２１の外表面に限定せず、外箱３の内面３ａに形成してもよい。
【００２６】
開閉扉７の開閉時には、前述のように、このローラ２１がレール１３上を転動する。この場合、ローラ２１は、図５において矢印Ｂ方向に振れる。この実施形態では、ローラ２１が矢印Ｂ方向に振れて、ローラ２１の外表面が外箱３の内面３ａに接触しても、このローラ２１の外表面には凸部３３が形成されているので、この凸部３３が外箱３の内面３ａに当接する。
【００２７】
従って、当接時の接触面積が小さく、大きな摩擦抵抗とはなり得ないので、従来のように、ローラ２１が正常に転動しない等の欠点が解消され、開閉扉７のスムーズな開閉が担保される。
【００２８】
また、ローラ２１が矢印Ｂ方向に振れて、支持軸２３の端面２３ａがローラ２１の袋状穴２１ａの穴底に接触しても、この袋状穴２１ａの穴底には凸部３１が形成されているので、この凸部３１が支持軸２３の端面２３ａに当接する。
【００２９】
従って、当接時の接触面積が小さく、大きな摩擦抵抗とはなり得ないので、従来のように、ローラ２１が正常に転動しない等の欠点が解消され、これによっても開閉扉７のスムーズな開閉が担保される。
【００３０】
以上、一実施形態に基づいて本発明を説明したが、本発明はこれに限定されるものではないことは明らかである。
【００３１】
【発明の効果】
請求項１記載の発明では、ローラが転動中に振れて、支持軸の端面がローラの袋状穴の穴底に接触しても、この袋状穴の穴底には凸部が形成されているので、この凸部が支持軸の端面に当接し、当接時の接触面積が小さく、大きな摩擦抵抗とはなり得ないので、従来のように、ローラが正常に転動しない等の欠点が解消され、開閉扉のスムーズな開閉が担保される。
【００３２】
請求項２記載の発明では、ローラが転動中に振れて、ローラの外表面が外箱の内面に接触しても、このローラの外表面には凸部が形成されているので、この凸部が外箱の内面に当接し、当接時の接触面積が小さく、大きな摩擦抵抗とはなり得ないので、従来のように、ローラが正常に転動しない等の欠点が解消され、開閉扉のスムーズな開閉が担保される。
【図面の簡単な説明】
【図１】本発明による食器洗浄機の側面図である。
【図２】本発明による食器洗浄機の正面図である。
【図３】食器洗浄機の断面図である。
【図４】図３の側面図である。
【図５】レール上を転動するローラを示す断面図である。
【図６】レール上を転動するローラを示す平面図である。
【図７】レール上を転動するローラを示す正面図である。
【符号の説明】
１  食器洗浄機
３  外箱
７  開閉扉
１１  洗浄室
１２  開口
１３  レール
２０  空間
２１  ローラ
２１ａ  袋状穴
２３  支持軸
【図１】
0004086405.tif 000002
【図２】
0004086405.tif 000003
【図３】
0004086405.tif 000004
【図４】
0004086405.tif 000005
【図５】
0004086405.tif 000006
【図６】
0004086405.tif 000007
【図７】
0004086405.tif 000008